(57)【要約】【課題】改善された音声認識方法、改善された音声認識装置及び改善されたコンピュータプログラム製品を提供する。【解決手段】インターネットページのハイパーリンクを作動させる方法であり、前記ハイパーリンクは第１ハイパーテキストとユニバーサルリソースロケータ（ＵＲＬ）とを含む方法は、前記ハイパーリンクに割り当てられた追加のハイパーリンクを提供するステップであり、前記追加のハイパーリンクは、前記ハイパーリンクの前記ＵＲＬに関連する第２ハイパーテキストを含み、前記第２ハイパーテキストは、自動音声認識により認識可能であるステップと、ユーザから音声命令を受け取るステップと、前記音声命令で音声認識を実行するステップと、前記音声命令が前記第２ハイパーテキストと一致する場合、前記関連するＵＲＬを介して前記ハイパーリンクを作動させるステップとを有する。【選択図】図１
2011100169.tif 000002
【特許請求の範囲】
【請求項１】
インターネットページのハイパーリンクを作動させる方法であり、前記ハイパーリンクは第１ハイパーテキストとユニバーサルリソースロケータ（ＵＲＬ）とを含む方法であって、
前記ハイパーリンクに割り当てられた追加のハイパーリンクを提供するステップであり、前記追加のハイパーリンクは、前記ハイパーリンクの前記ＵＲＬに関連する第２ハイパーテキストを含み、前記第２ハイパーテキストは、自動音声認識により認識可能であるステップと、
ユーザから音声命令を受け取るステップと、
前記音声命令で音声認識を実行するステップと、
前記音声命令が前記第２ハイパーテキストと一致する場合、前記関連するＵＲＬを介して前記ハイパーリンクを作動させるステップと、
を有する方法。
【請求項２】
前記第１ハイパーテキストに関連する第１品質値を決定するステップと、
前記第１品質値を品質基準値と比較するステップと、
を更に有し、
前記追加のハイパーリンクは、前記第１品質値が前記品質基準値より小さいと決定された場合に提供される、請求項１に記載の方法。
【請求項３】
前記第１ハイパーテキストに対応する第１音素系列を決定するステップを更に有し、
前記第１品質値は、前記第１ハイパーテキストが命令として話された場合に、音声認識により認識される可能性に対応する、請求項２に記載の方法。
【請求項４】
前記第２ハイパーテキストに対応する第２音素系列は、前記品質基準値を超える品質値を持つ、請求項３に記載の方法。
【請求項５】
前記第２ハイパーテキストは、番号を含む、請求項１に記載の方法。
【請求項６】
前記第１ハイパーテキストは、第１言語であり、前記第２ハイパーテキストは、第２言語での前記第１ハイパーテキストの翻訳を含む、請求項１に記載の方法。
【請求項７】
前記第１ハイパーテキストを前記第２ハイパーテキストで置き換えるステップを更に有する、請求項１に記載の方法。
【請求項８】
前記ハイパーリンクを作動させるステップは、
前記第１ハイパーテキスト又は前記第２ハイパーテキストを所定の期間の間に点滅させるステップと、
前記所定の期間が経過した後にのみ、前記関連するＵＲＬを介して前記ハイパーリンクを作動させるステップと、
を更に有する、請求項１に記載の方法。
【請求項９】
少なくとも１つのプロセッサにより実行されたときに、請求項１乃至８のうちいずれか１項に記載の方法を実行するコンピュータプログラムを符号化した少なくとも１つのコンピュータ読み取り可能な記憶媒体。
【請求項１０】
インターネットページのハイパーリンクを作動させる装置であり、前記ハイパーリンクは第１ハイパーテキストとユニバーサルリソースロケータ（ＵＲＬ）とを含む装置であって、
前記インターネットページを表示するディスプレイと、
ユーザから少なくとも１つの音声命令を受け取るように構成されたマイクロホンと、
少なくとも１つのコンピュータプログラムを実行するように構成されたコンピュータと、
を有し、
前記少なくとも１つのコンピュータプログラムは、実行されたときに、
前記ハイパーリンクに割り当てられた追加のハイパーリンクを前記ディスプレイに表示し、前記追加のハイパーリンクは、前記ハイパーリンクの前記ＵＲＬに関連する第２ハイパーテキストを含み、前記第２ハイパーテキストは、音声認識により認識可能である手順と、
前記マイクロホンを介してユーザから音声命令を受け取る手順と、
前記音声命令で音声認識を実行する手順と、
前記音声命令が前記第２ハイパーテキストと一致する場合、前記関連するＵＲＬを介して前記ハイパーリンクを作動させる手順と、
を実行する装置。
【請求項１１】
前記少なくとも１つのコンピュータプログラムは、実行されたときに、
前記第１ハイパーテキストに関連する第１品質値を決定する手順と、
前記第１品質値を品質基準値と比較する手順と、
前記第１品質値が前記品質基準値より小さいと決定された場合に前記追加のハイパーリンクを提供する手順と、
を実行する、請求項１０に記載の装置。
【請求項１２】
前記少なくとも１つのコンピュータプログラムは、実行されたときに、
前記第１ハイパーテキストに対応する第１音素系列を決定する手順を実行し、
前記第１品質値は、前記第１ハイパーテキストが命令として話された場合に、音声認識により認識される可能性に対応する、請求項１１に記載の装置。
【請求項１３】
前記第２ハイパーテキストに対応する第２音素系列は、前記品質基準値を超える品質値を持つ、請求項１２に記載の装置。
【請求項１４】
前記第２ハイパーテキストは、番号を含む、請求項１０に記載の装置。
【請求項１５】
前記第１ハイパーテキストは、第１言語であり、前記第２ハイパーテキストは、第２言語での前記第１ハイパーテキストの翻訳を含む、請求項１０に記載の装置。
【請求項１６】
前記少なくとも１つのコンピュータプログラムは、実行されたときに、
前記インターネットページにおいて前記第１ハイパーテキストを前記第２ハイパーテキストで置き換える手順を実行する、請求項１０に記載の装置。
【請求項１７】
前記少なくとも１つのコンピュータプログラムは、実行されたときに、
前記第１ハイパーテキスト又は前記第２ハイパーテキストを所定の期間の間に点滅するテキストとして表示する手順と、
前記所定の期間が経過した後にのみ、前記ハイパーリンクを作動させる手順と、
を実行する、請求項１０に記載の装置。
【発明の詳細な説明】
【技術分野】
【０００１】
本発明は、請求項１の導入部に記載の音声認識方法、請求項４の導入部に記載の音声認識装置、及び請求項７の導入部に記載のコンピュータプログラム製品に関する。
【背景技術】
【０００２】
ユーザに示されるインターネットサイトのテキスト情報のハイパーリンクを作動させる上記音声認識方法、上記音声認識装置及びコンピュータプログラム製品は、ヨーロッパ特許公開公報第０８４７１７９号から既知である。この既知の音声認識装置は、コンピュータプログラム製品がコンピュータ上で実行するときに既知の音声認識方法を実施するコンピュータにより形成される。このコンピュータは、インターネットに接続され、既知の音声認識装置は、インターネットに接続されたコンピュータサーバからインターネットページのテキスト情報を入力するように配される。
【０００３】
入力されたインターネットサイトのテキスト情報は、ＨＴＭＬ符号化され、通常は、テキストに加え、いわゆるハイパーテキストも含んでいる。ハイパーリンクは、コンピュータのモニタに表示されるハイパーテキスト及び割り当てられたインターネットアドレスを含む。ハイパーテキストは、インターネットページのテキスト情報の他のテキストと区別するために、通常は下線で表示される又は異なる強調(emphasis)の仕方で音響的に再生されてもよい。このようなハイパーテキストが、例えばマウスにより制御されるカーソルをクリックすることで作動する場合、この作動したハイパーリンクのインターネットアドレスにより特徴付けられるインターネットページのテキスト情報がインターネットに接続されるコンピュータにより実施され、モニタにより表示される。
【０００４】
既知の音声認識装置は、入力されたインターネットページのテキスト情報におけるハイパーリンクのハイパーテキストを決定するハイパーリンク特定手段を含む。このハイパーリンク特定手段により決定されるハイパーテキストに対し、音声認識装置の相関手段は、これらハイパーテキストに対応する第１音素系列を決定し、これら系列を記憶する。これら第１音素系列が決定されるとき、前記相関手段は、このハイパーテキストのテキスト部分と、ワードメモリに記憶される多くの単語とを比較する。ワードメモリの単語と、ハイパーテキストの１つのテキスト部分とに大きな対応関係が確立される場合、ワードメモリに記憶され、このテキスト部分に割り当てられる音素系列は、このハイパーテキストの第１音素系列に含まれる。
【０００５】
ユーザは、モニタにより表示される対応するインターネットページのテキスト情報を得るために、モニタにより表示され、テキスト情報に含まれるハイパーリンクを作動させることを望む場合、ユーザはこのハイパーリンクのハイパーテキストの単語又は文章を音声命令(spoken  command)としてコンピュータに接続されるマイクロホンへ発する。
【０００６】
既知の音声認識装置は、この音声命令に対応する音声信号を入力する入力手段を含む。この既知の音声認識装置は更に、入力された音声命令の音声信号に対応する第２音素系列を決定する音声認識手段を含む。決定された音声命令の第２音素系列と作動したハイパーリンクの記憶された第１音素系列とを比較することで、音声認識手段は更に、第２音素系列に対応する第１音素系列及びこの第１音素系列のハイパーテキストに割り当てられたインターネットアドレスを決定する。コンピュータは、インターネットアドレスにより特徴付けられるコンピュータサーバのインターネットページのテキスト情報を抽出し、コンピュータのモニタは、このテキスト情報を表示又は音響的に再生する。
【発明の概要】
【発明が解決しようとする課題】
【０００７】
既知の音声認識方法、既知の音声認識装置及び既知のコンピュータプログラム製品に関しては、相関手段によりハイパーテキストに対し決定される第１音素系列の品質がしばしは非常に悪いという欠点が述べられている。これは、例えば、英語の単語だけが相関手段のワードメモリに記憶され、ハイパーテキストがフランス語又はスペイン語により形成されるときに起こる。しかしながら、インターネットページの全て又は幾つかのハイパーテキストの決定された第１音素系列の品質が悪い場合、音声認識手段において、音声命令に対応するハイパーリンクを作動させることは不可能であり、これは重大な欠点である。
【０００８】
本発明の目的は、上述の問題点を解消することであり、改善された音声認識方法、改善された音声認識装置及び改善されたコンピュータプログラム製品を提供することである。
【課題を解決するための手段】
【０００９】
本目的は、請求項１の特徴部を形成するやり方による上記音声認識方法、請求項４の特徴部を形成するやり方による上記音声認識装置及び請求項７の特徴部を形成するやり方による上記コンピュータプログラム製品で達成される。
【００１０】
結果として、ハイパーリンクのハイパーテキストに対応する第１音素系列が決定されるとき、品質値は、各第１音素系列に対し決定され、品質基準値(quality  threshold)と比較される。決定された第１音素系列が低い品質を持つことを上記比較が示すとき、追加のハイパーテキストは、相関手段によってこのハイパーリンクに対し決定され、インターネットページのテキスト情報に付加的に挿入され、ハイパーテキストの前後又はハイパーテキストの代わりにモニタ上に表示される。この相関手段が付加するハイパーテキストを規定するので、この相関手段によって追加のハイパーテキストに対し決定される第１音素系列は、高い品質値を有し、ハイパーテキストと追加のハイパーテキストとの間に、適当な抽象的リンク(abstract  link)が存在する。
【００１１】
これは、ハイパーリンクのハイパーテキストの単語を話す又はハイパーテキストに加えて若しくはそれの代わりに示されるハイパーリンクの追加のハイパーテキストの単語を話すことでユーザは、ハイパーリンクにより特徴付けられるインターネットページのテキスト情報を作動させ、入力及び表示することでハイパーリンク上に効果を持つという利点を提供する。インターネットページの全てのハイパーリンクが音声命令により、常に高い信頼性をもって作動可能である。
【００１２】
請求項１に記載の音声認識方法及び請求項４に記載の音声認識装置に関し、インターネットページのテキスト情報に表示される番号は、少しの場所しか必要としないので、番号を追加のハイパーテキストとして表示するという利点が述べられている。
【００１３】
数値が決定されるとき、インターネットページのテキスト情報に含まれ且つ表されるハイパーテキスト又は追加のハイパーテキストより先にこの番号を考慮することが特に有利である。例えば、数値”１０”が決められ、テキスト情報に含まれる１０番目のハイパーリンクに対する追加のハイパーリンクとして表示される場合、ユーザも、テキスト情報の最初の部分がモニタ上に表示されなくとも、インターネットページにおける他の９個のハイパーリンクがこれより先に作動する情報を受け取る。
【００１４】
請求項７に記載のコンピュータプログラム製品に関し、簡単に持ち運びするためにコンピュータにより読み取り可能な媒体上にこの製品を記憶する及びコンピュータプログラムをインストールすることが利点であると述べられている。
【図面の簡単な説明】
【００１５】
【図１】音声認識方法に従ってインターネットブラウザを制御するように配され、このインターネットブラウザは、ハイパーリンクを含むインターネットページのテキスト情報を入力するように配される音声認識装置をブロック回路図の形式で概略的に示す。
【図２】インターネットページのテキスト情報及び画像情報のモニタによる表示を示す。
【図３】図１に示される音声認識装置の命令語スイッチング段階で記憶される命令テーブルを示す。
【図４】モニタにより表示される図２に示されるインターネットページのテキスト及び画像情報を、追加のハイパーテキストとしてテキスト情報に挿入される単語で示す。
【図５】モニタにより表示される図２に示されるインターネットページのテキスト及び画像情報を、追加のハイパーテキストとしてテキスト情報に挿入される番号で示す。
【発明を実施するための形態】
【００１６】
本発明は、図に示される２つの実施例を参照して以下に説明するが、本発明は、これら実施例に制限されるものではない。
【００１７】
図１は、コンピュータ１、第１コンピュータサーバ２及び第２コンピュータサーバ３をブロック回路図で示し、これらは全てインターネットＩＮＴに接続されている。コンピュータ１のモニタポート４に接続される場合、モニタ５が接続され、これにより、インターネットページの画像情報ＢＩ及びテキスト情報ＴＩが表示可能となる。画像情報ＢＩ及びテキスト情報ＴＩを含むモニタ信号ＭＳがコンピュータ１のモニタポート４からモニタ５に供給される。
【００１８】
コンピュータ１が動作中であるとき、いわゆるインターネットブラウザ６を形成する第１コンピュータプログラム製品は、このコンピュータ１の内部メモリに記憶される。この第１コンピュータプログラム製品は、ソフトウェアコードセクションを含み、例えば、マイクロソフト社の公知のコンピュータソフトウェアMicrosoft  Explorer（Ｒ）又はネットスケープ社の公知のコンピュータソフトウェアNetscape  Navigator（Ｒ）によって形成されてもよい。
【００１９】
インターネットアドレスＵＲＬは、キーボード７によってインターネットブラウザ６に与えられ、それに応じてインターネットブラウザ６は、インターネットＮＥＴに接続され、インターネットアドレスＵＲＬによって特徴付けられるコンピュータサーバ２又は３を検索するように配される。検索されたコンピュータサーバ２又は３が一度見つかると、インターネットブラウザ６は、インターネットアドレスＵＲＬにより特徴付けられ、コンピュータサーバ２又は３により記憶されるインターネットページを抽出し、入力するように配され、このページは、主にテキスト情報ＴＩ及び画像情報ＢＩを含み、ＨＴＭＬ符号化されている。インターネットページのテキスト情報ＴＩ及び画像情報ＢＩを入力した後、インターネットブラウザ６は、この情報を含むモニタ信号ＭＳをモニタポート４へ送るのに配される。
【００２０】
図２には、インターネットページ８が示されている。これは、モニタ５によってそれぞれ表示又は再生される。インターネットページ８は、テキスト情報ＴＩ１及びＴＩ２並びに画像情報ＢＩ１及びＢＩ２を含んでいる。インターネットページ８は更に、テキスト情報ＴＩ３、ＴＩ４、ＴＩ５、ＴＩ６及びＴＩ７を含み、これらは下線が引かれ、いわゆるハイパーリンクＨＬのハイパーテキストＨＴ（ＨＬ）を形成している。各ハイパーリンクは、ハイパーテキストＨＴ（ＨＬ）と、このハイパーテキストＨＴ（ＨＬ）に割り当てられたハイパーリンクＨＬのインターネットアドレスＵＲＬ（ＨＬ）との両方を含むが、このハイパーテキストＨＴ（ＨＬ）は、モニタ５に表示されない。
【００２１】
コンピュータ１のユーザが、例えばキーパッド７の作動キーによって、示されるハイパーテキストＴＩ３からＴＩ７の１つを選択し、これによりハイパーリンクＨＬを作動させるとき、上述されるように、インターネットブラウザ６は、作動するハイパーリンクＨＬのインターネットアドレスＵＲＬ（ＨＬ）によって特徴付けられるインターネットページのテキスト情報ＴＩ及び画像情報ＢＩをロードする。
【００２２】
第２コンピュータプログラム製品をコンピュータ１で実行しているとき、このプログラム製品が音声認識装置９を形成する第２コンピュータプログラム製品は、コンピュータ１の内部メモリに更に記憶され、この結果として、コンピュータ１は音声認識方法を実施する。この音声認識装置９は、インターネットブラウザ６を制御するように配される。このために、音声認識装置９は、コンピュータ１のユーザによって音声命令により選択されたページのインターネットアドレスＵＲＬを配信するように配される。
【００２３】
音声認識装置９は、ハイパーリンク特定手段１０を有する。モニタ５により表示され、インターネットブラウザ６により決定されるインターネットページ８のテキスト情報ＴＩがこのハイパーリンク特定手段１０に与えられる。このハイパーリンク特定手段１０は、入力されたインターネットページ８のテキスト情報ＴＩからハイパーリンクＨＬのハイパーテキストＨＴ（ＨＬ）のテキスト情報ＴＩ３からＴＩ７を決定するように配される。このテキスト情報ＴＩ３からＴＩ７は、ハイパーリンク特定手段１０によって、インターネットページ８のハイパーリンクＨＬのハイパーテキストＨＴ（ＨＬ）として出力される。
【００２４】
ハイパーリンク特定手段１０は更に、入力されたインターネットページ８のテキスト情報ＴＩからハイパーリンクＨＬのインターネットアドレスＵＲＬ（ＨＬ）（図２に示さない）を決定するように配される。ハイパーリンク特定手段１０により作られるハイパーリンクＨＬの各ハイパーテキストＨＴ（ＨＬ）に、ハイパーリンクＨＬのインターネットアドレスＵＲＬ（ＨＬ）が割り当てられる。
【００２５】
音声認識装置９は更に、これらハイパーテキストＨＴ（ＨＬ）に対応する第１音素系列ＰＩ１［ＨＴ（ＨＬ）］を決定する相関手段１１を含んでいる。このために、相関手段１１は相関段階１２及びワードメモリ１３を含んでいる。このワードメモリ１３に、英語で６４，０００語が、いわゆる背景辞書(background  lexicon)として記憶されている。音素系列ＰＩは、このワードメモリ１３に記憶され、これら単語の各々に割り当てられ、この音素系列ＰＩは、この単語の音響的発音に対応する。
【００２６】
相関段階１２は、ハイパーリンク特定手段１０により相関段階１２に出力されるハイパーリンクＨＬの各ハイパーテキストＨＴ（ＨＬ）に対する第１音素系列ＰＩ１［ＨＴ（ＨＬ）］を決定するように配される。相関段階１２は、ハイパーリンクＨＬのハイパーテキストＨＴ（ＨＬ）のテキスト部分とワードメモリ１３に記憶される単語とを比較するように配される。かなりの対応関係がハイパーリンクＨＬのハイパーテキストＨＴ（ＨＬ）のテキスト部分とワードメモリ１３の単語との間に検出されたとき、この単語に割り当てられ、ワードメモリ１３に記憶される音素系列ＰＩがこのハイパーテキストＨＴ（ＨＬ）の第１音素系列ＰＩ１［ＨＴ（ＨＬ）］に組み入れられる。
【００２７】
音声認識装置９は更に、命令語決定段階１４を含み、この段階によって図３に示される命令テーブル１５が記憶される。この命令テーブル１５の１列目には、相関段階１２により決定され、命令語決定段階１４に出力される第１音素系列ＰＩ１［ＨＴ（ＨＬ）］が記憶される。命令テーブル１５の３列目には、ハイパーリンク特定手段１０により決定され、相関段階１２により命令語決定段階１４に出力されるハイパーリンクＨＬのインターネットアドレスＵＲＬ（ＨＬ）が記憶される。
【００２８】
これは、第１音素系列ＰＩ１［ＨＴ（ＨＬ）］及びモニタ５により表示されるインターネットページ８の各ハイパーリンクＨＬに対するインターネットアドレスＵＲＬ（ＨＬ）を命令語決定段階１４の命令テーブル１５に記憶されることが実現する。この命令語決定段階１４に記憶される音素系列ＰＩ１［ＨＴ（ＨＬ）］のハイパーテキストＨＴ（ＨＬ）は、インターネットページ８がモニタ５により表示されるとき、音声認識装置９により認識可能な音声命令を形成する。
【００２９】
コンピュータ１は、マイクロホン１７がコンピュータ１に接続可能な音声ポート１６を有する。コンピュータ１のユーザは、マイクロホン１７に命令を話すことができ、その後、この命令に対応する音声信号ＡＳがマイクロホン１７により音声部分１６に出力される。ハイパーリンクＨＬを作動させるために、ユーザは、ハイパーリンクＨＬのハイパーテキストＨＴ（ＨＬ）のテキスト情報ＴＩ３、ＴＩ４、ＴＩ５、ＴＩ６又はＴＩ７の一部又は全体を命令としてマイクロホン１７に話すことができる。
【００３０】
音声認識装置９は更に、音声ポート１６に与えられたユーザが発した命令の音声信号ＡＳを入力する入力手段１８を含んでいる。この入力手段１８は、音声信号ＡＳを増幅する入力増幅器及びアナログ音声信号ＡＳをデジタル化するアナログ−デジタル変換器を含む。この入力手段１８は、ユーザにより発せられた命令を表すデジタル音声データＡＤを作成することができる。
【００３１】
音声認識装置９は更に、音声命令に対応する第２音素系列ＰＩ２を決定し、この決定された第２音素系列ＰＩ２と命令語決定段階１４に記憶される第１音素系列ＰＩ１［ＨＴ（ＨＬ）］とを比較することによりユーザによって選択されるハイパーリンクＨＬを決定する音声認識手段１９を含む。このために、この音声認識手段１９は、音声認識段階２０及び命令語決定段階１４を含む。
【００３２】
音声認識段階２０は、前記入力手段１８によって出力されるデジタル音声データＡＤが供給される。この音声認識段階２０は、ユーザにより話される命令のデジタル音声データＡＤに対応する第２音素系列ＰＩ２を決定するように配され、これは音声認識装置に対し既に前から知られている。音声認識段階２０により決定される第２音素系列ＰＩ２は、この段階によって命令語決定段階１４に出力される。
【００３３】
音声認識段階２０から第２音素系列ＰＩ２を入力した後、命令語決定段階１４は、第２音素系列ＰＩ２と命令テーブル１５に記憶される第１音素系列ＰＩ１［ＨＴ（ＨＬ）］とを比較するように配される。この命令語決定段階１４は更に、命令テーブル１５に記憶されるハイパーリンクＨＬのインターネットアドレスＵＲＬ（ＨＬ）を出力するように配される。この命令テーブル１５のハイパーテキストＨＴ（ＨＬ）の第１音素系列ＰＩ１［ＨＴ（ＨＬ）］は、命令語決定段階１４に出力される第２音素系列ＰＩ２に最もよく対応する。
【００３４】
音声認識装置９は更に、ユーザにより選択されるハイパーリンクＨＬによって特徴付けられたインターネットページのテキスト情報ＴＩ及び画像情報ＢＩを入力可能にするようにインターネットブラウザ６を制御する制御手段２１を含む。このために、命令語決定段階１４により決定されるハイパーネットＨＬのインターネットアドレスＵＲＬ（ＨＬ）が制御手段２１に与えられる。この制御手段２１は、インターネットブラウザ６に対するインタフェースを形成し、制御手段２１に与えられる選択されたハイパーリンクＨＬのインターネットアドレスＵＲＬ（ＨＬ）をデータ形式でインターネットブラウザ６に出力するので、各々のコンピュータプログラム製品は、インターネットアドレスＵＲＬを直ぐに処理することができる。
【００３５】
モニタ５上に示されるインターネットページ８のハイパーリンクＨＬを選択するために、ユーザは、テキスト情報信号ＴＩ３からＴＩ７の１つを命令としてマイクロホン１７に話し、選択されたハイパーリンクのインターネットアドレスＵＲＬによって特徴付けられるインターネットページは、各々のインターネットサーバ２又は３により自動的に抽出され、モニタ５により表示される。
【００３６】
相関手段１１はこの後に配されているので、ハイパーテキストＨＴ（ＨＬ）に対応する第１音素系列ＰＩ１［ＨＴ（ＨＬ）］が決定される場合、品質値ＱＶは、各ハイパーテキストＨＴ（ＨＬ）に対し決定され、ハイパーテキストＨＴ（ＨＬ）の品質値ＱＶが品質基準値ＱＳを満たさない場合、追加のハイパーテキストＺＨＴ（ＨＬ）が決定され、インターネットページのテキスト情報ＴＩにおけるハイパーテキストＨＴ（ＨＬ）に割り当てられる、又は追加のハイパーテキストＺＨＴ（ＨＬ）がハイパーテキストＨＴ（ＨＬ）の変わりに表示されるのに対し、この追加のハイパーテキストＺＨＴ（ＨＬ）に対し決定される第１音素系列ＰＩ１［ＺＨＴ（ＨＬ）］は、品質基準値ＱＳを越えた品質値ＱＶを有する。
【００３７】
相関段階１２により決定された各第１音素系列ＰＩ１［ＨＴ（ＨＬ）］に対する品質基準値ＱＶを決定するために、この相関段階１２は、第１音素系列ＰＩ１［ＨＴ（ＨＬ）］が決定されるとき、様々な評価基準を決定及び評価するように配される。これら評価基準において最も重要な基準は、長さの評価基準である。
【００３８】
第１音素系列ＰＩ［１ＨＴ（１）］は、相関段階１２によって、テキスト情報ＴＩ３＝”PRODUCT  INFORMATION”を持つインターネットページ８の第１ハイパーリンクＨＬ＝”１”のハイパーテキストＨＴ（１）に対し決定され、英語が背景辞書としてワードメモリ１３に記憶されるのに対し、単語”PRODUCT”及び単語”INFORMATION”とこれら単語に関連する音素系列ＰＩとの両方がワードメモリ１３に記憶されるとき、第１音素系列ＰＩ１［ＨＴ（１）］がこれら２つの単語の音素系列ＰＩから直接形成される。全部で”１９”ディジットを含むテキスト情報ＴＩ３に対するこの第１音素系列ＰＩ１［ＨＴ（１）］の長さの評価基準は、これにより、ワードメモリ１３の２つの音素系列ＰＩだけが第１音素系列ＰＩ１［ＨＴ（１）］としてテキスト情報ＴＩ３を複写するために結合されなければならないことを示している。相関段階１２によるこの長さの評価基準の評価は従って、インターネットページ８の第１ハイパーリンクＨＬ＝”１”の品質的に高い値である第１音素系列ＰＩ１［ＨＴ（１）］に対する高い品質値ＱＶを作り出す。
【００３９】
一方、第１音素系列ＰＩ１［ＨＴ（３）］が相関段階１２又はテキスト情報ＴＩ５＝”SPEECHMIKE  LFH  6175”を持つインターネットページ８の第３ハイパーリンクＨＬの第３ハイパーテキストＨＴ（３）により決定されるとき、第１音素系列ＰＩ１［ＨＴ（３）］は、例えば”SPEECH”のような単語及び“L”のような文字からなるワードメモリ１３に記憶された比較的多数の音素系列ＰＩから形成されなければならない。全体で”１９”ディジットを含むテキスト情報ＴＩ５に対するこの第１音素系列ＰＩ１［ＨＴ（３）］の長さの評価基準は、これにより、９個の音素系列ＰＩが第１音素系列ＰＩ１［ＨＴ（３）］としてテキスト情報ＴＩ５を複写するために結合されなければならないことを示している。相関段階１２によるこの長さの評価基準の評価は、これにより、インターネットページ８の第３ハイパーリンクＨＬ＝”３”の品質的に低い第１音素系列ＰＩ１［ＨＴ（３）］に対し低い品質値ＱＶを作り出す。
【００４０】
英単語しか含まないワードメモリ１３の場合、他の言語の単語を複写することは非常に難しいので、非常に低い品質値ＱＶがインターネットページ８のドイツ語の第４ハイパーリンクＨＬ＝”４”のテキスト情報ＴＩ６及びフランス語の第５ハイパーリンクＨＬ＝”５”のテキスト情報ＴＩ７に対し作り出される。ハイパーテキストＨＴ（ＨＬ）が低い品質値ＱＶを持ち、これにより複写することが比較的難しいハイパーリンクＨＬは、音声認識手段１９の認識率が音声命令に対し非常に低いので、このような音声命令で非常に不十分に作動する。
【００４１】
相関段階１２により決定された音素系列ＰＩ１［ＨＴ（ＨＬ）］の品質に対する更なる評価基準は、音声認識方法の分野の専門家には知られた発見的方法及び統計的方法の成果である。
【００４２】
ハイパーリンクを作動させる全ての音声命令に対し、音声認識手段１９の高い認識率を得るために、相関手段１１は、比較段階２２に与えられる第１音素系列ＰＩ１［ＨＴ（ＨＬ）］の品質値ＱＶとこの比較段階２２に記憶される品質基準値ＱＳとを比較するように配される比較段階２２を含む。ハイパーリンクＨＬの第１音素系列ＰＩ１［ＨＴ（ＨＬ）］の品質値ＱＶが品質基準値ＱＳより低いままであるとき、品質情報ＱＩがこのハイパーリンクＨＬを特徴付ける相関段階１２に品質情報ＱＩを出力する比較段階２２が供給される。
【００４３】
ハイパーリンクＨＬを特徴付ける品質情報ＱＩを入力したとき、相関段階１２は、このハイパーリンクＨＬに対する追加のハイパーテキストＺＨＴ（ＨＬ）を決定するように配され、相関段階１２により決定される追加のハイパーテキストＺＨＴ（ＨＬ）の音素系列ＰＩ１［ＺＨＴ（ＨＬ）］は、非常に良好な品質値ＱＶを有する。追加のハイパーテキストＺＨＴ（ＨＬ）の第１音素系列ＰＩ１［ＺＨＴ（ＨＬ）］は、これら系列が相関段階１２により低い品質値ＱＶで決定され、この相関段階１２によって命令語決定段階１４に送られ、命令テーブル１５の２列目に記憶される。
【００４４】
これら追加のハイパーテキストＺＨＴ（ＨＬ）は、相関段階１２によって音声認識手段９の挿入段階２３にも出力される。この挿入段階２３は、モニタ５により表示されるインターネットページ８の各ハイパーリンクＨＬに関する調整情報(co-ordination  information)ＫＩ（ＨＬ）をハイパーリンク特定手段１０によって更に与えられる。ハイパーリンクＨＬの調整情報ＫＩ（ＨＬ）は、このとき、示されるインターネットページ８内のハイパーリンクＨＬの位置を特徴付ける。
【００４５】
挿入段階２３は、この挿入段階２３に出力される追加のハイパーテキストＺＨＴ（ＨＬ）を含む付加モニタ信号ＺＭＳを作り出すのに配される。加算段階２４において、インターネットブラウザ６により出力されたモニタ信号ＭＳは、付加モニタ信号ＺＭＳに加算され、その後、モニタポート４に出力されるモニタ信号ＭＳも追加のハイパーテキストＺＨＴ（ＨＬ）を含む。ハイパーリンクＨＬの追加のハイパーテキストＺＨＴ（ＨＬ）は、インターネットページ内のこのハイパーリンクＨＬのハイパーテキストＨＴ（ＨＬ）の間近に置かれ、ユーザに直接的な割り当てが与えられたように示される。しかしながら、ハイパーリンクＨＬの追加のハイパーテキストＺＨＴ（ＨＬ）もこのハイパーリンクＨＬのハイパーテキストＨＴ（ＨＬ）の位置に置かれ、結果として、インターネットページの表示においてハイパーテキストＨＴ（ＨＬ）を完全に置き換える。
【００４６】
その結果、ユーザは、ハイパーリンクＨＬに対し表示されるバージョンで追加のハイパーテキストＺＨＴ（ＨＬ）を入力することが好適に実現され、このハイパーリンクＨＬの第１音素系列ＰＩ１［ＨＴ（ＨＬ）］は、低い品質値ＱＶを持ち、それによって、ハイパーリンクＨＬの１つを動作する命令としてユーザにより話される音声命令でのみ不十分に動作する。音声認識手段１９の認識率がこれら追加のハイパーテキストＺＨＴ（ＨＬ）に対しかなり高いので、追加のハイパーテキストＺＨＴ（ＨＬ）の第１音素系列ＰＩ１［ＨＴ（ＨＬ）］は、非常に高い品質値ＱＶを持ち、これにより、このようなハイパーリンクＨＬは、追加のハイパーテキストＺＨＴ（ＨＬ）を述べることで高い信頼で実現される。
【００４７】
以下に、本発明の第１実施例を参照して本発明の利点を更に説明する。本発明の第１実施例に従い、相関段階１２は、追加の情報ＺＴＩを追加のハイパーテキストＺＨＴ（ＨＬ）と決定するように配され、これはワードメモリ１３に記憶される１つ以上の単語により形成される。コンピュータ１のユーザは、キーパッド７のキーを使ってインターネットページ８のインターネットアドレスＵＲＬを入力し、その後、コンピュータサーバ２のインターネットブラウザ６がテキスト情報ＴＩ１からＴＩ７と画像情報ＢＩ１及びＢＩ２とを抽出し、モニタ信号ＭＳと同じ信号をモニタ５に出力するとする。その後、図２に示されるインターネットページ８がモニタ５に表示される。
【００４８】
次に、ハイパーテキスト特定手段１０は、上述のように、インターネットページ８の５つのハイパーリンクＨＬのハイパーテキストＨＴ（ＨＬ）及びインターネットアドレスＵＲＬを決定する。相関手段１１によりハイパーリンクＨＬに対し決定される第１音素系列ＰＩ１［ＨＴ（ＨＬ）］及び関連するインターネットアドレスＵＲＬ（ＨＬ）は、命令後決定段階１４で命令テーブル１５に記憶される。ハイパーリンクＨＬ＝”３”、ＨＬ＝”４”及びＨＬ＝”５”に対し、これらハイパーリンクの第１音素系列ＰＩ１［ＨＴ（３）］、ＰＩ１［ＨＴ（４）］及びＰＩ１［ＨＴ（５）］は、品質基準値ＱＳよりも低い品質値ＱＶを持ち、相関段階１２は、追加のテキスト情報ＺＴＩ（１）＝”THIRD  LINK”、ＺＴＩ（２）＝”FOURTH  LINK”及びＺＴＩ（３）＝”FIFTH  LINL”で追加のハイパーリンクＺＨＴ（ＨＬ）を決定し、命令語決定段階１４において命令テーブル１５の２列目の対応する第１音素系列ＰＩ１［ＺＨＴ（３）］、ＰＩ１［ＺＨＴ（４）］及びＰＩ１［ＺＨＴ（５）］を記憶する。
【００４９】
インターネットページ８に対応するインターネットページ２５が図４に示され、このページ上に、挿入段階２３が、本発明の第１実施例に従って、ハイパーテキストＨＴ（ＨＬ）のテキスト情報ＴＩ５からＴＩ７より先に、追加のハイパーテキストＺＨＴ（ＨＬ）の追加のテキスト情報ＺＴＩ１からＺＴＩ３を挿入する。好適なことに、このように、個々のハイパーリンクＨＬを作動させることで、インターネットページがダウンロード及び表示されることに関するテキスト情報ＴＩ５からＴＩ７が失われないので、これらテキスト情報ＴＩ５からＴＩ７及び追加のテキスト情報ＺＴＩ１からＺＴＩ３は、図４に係るインターネットページ２５上に一緒に示される。
【００５０】
これら追加のハイパーテキストＺＨＴ（ＨＬ）を敷設することで、２つの利点が得られる。最初は、ユーザが追加のハイパーテキストＺＨＴ（ＨＬ）の意味から、それが既にインターネットページ８の第３、第４又は第５のハイパーリンクＨＬであり、よって、２つの更なるハイパーリンクＨＬがこのハイパーリンクＨＬより先に、既にインターネットページ８上になければならないことがわかる。次に、追加のハイパーテキストＺＨＴ（ＨＬ）がワードメモリ１３から英語の単語により形成されるので、これら追加のハイパーテキストの品質値ＱＶが非常に良好であり、これら追加のハイパーテキストＺＨＴ（ＨＬ）の認識に対する音声認識手段１９の認識率は非常に高くなることが保証される。
【００５１】
本発明の第１実施例に従い、コンピュータ１のユーザは、今後は、単語”FOURTH  LINK”をマイクロホン１７に話すことによりインターネットブラウザ６を制御することができるので、オーストリアの開発センターに関するインターネットページが、インターネットアドレスＵＲＬ（４）＝http://www.philips.development.comにより特徴付けられるインターネットサーバ３によりダウンロードされ、モニタ５により表示される。
【００５２】
好適なことに、追加のハイパーテキストＺＨＴ（ＨＬ）が上記ハイパーテキストＨＬに対してのみ表示され、このハイパーテキストＨＬに対し、低い品質値ＱＶしか持たない第１音素系列ＰＩ１［ＨＴ（ＨＬ）］が決定され、音声認識手段１９の認識率が不十分となる。他のハイパーリンクＨＬ全てに対し、これらハイパーリンクに対する高い品質値ＱＶを持つ第１音素系列ＰＩ１［ＨＴ（ＨＬ）］は、追加のハイパーテキストＺＨＴ（ＨＬ）が表示されないことを決定するので、好適なことに、インターネットページを表示する場所が節約される。
【００５３】
本発明の利点は、本発明の第２実施例を参照して以下に更に説明される。本発明の第２実施例に従って、相関段階１２は、追加のテキスト情報ＺＴＩを追加のハイパーテキストＺＨＴ（ＨＬ）として決定するように配され、この追加のハイパーテキストは、１つ以上の各々の単語がワードメモリ１３に記憶される番号によって形成される。上述した本発明の第１実施例に従って、図２に示される最初のインターネットページ８がインターネットサーバ２によりダウンロードされ、第１音素系列ＰＩ１［ＨＴ（ＨＬ）］は、相関手段１０により決定され、インターネットアドレスＵＲＬは、ハイパーリンク特定手段１２により決定され、命令テーブル１５に記入され、命令決定段階１４により記憶される。
【００５４】
品質基準値ＱＳよりも低い品質値ＱＶを持つ第１音素系列ＰＩ１［ＨＴ（３）］、ＰＩ１［ＨＴ（４）］及びＰＩ１［ＨＴ（５）］に対する第２実施例に従って、相関段階１２は、追加のハイパーテキストＺＨＴ（ＨＬ）を形成する番号に対する数値を追加のテキスト情報ＺＴＩ４、ＺＴＩ５及びＺＴＩ６として決定する。好適なことに、決定された番号の数値は、追加のハイパーテキストＺＨＴ（ＨＬ）がインターネットページ８上のハイパーリンクＨＬに割り当てられることを示す。
【００５５】
インターネットページ８に対応するインターネットページ１６が図５に示されている。このページ２３に対する挿入段階２３は、追加のテキスト情報ＺＴＩ４、ＺＴＩ５及びＺＴＩ６が挿入されている。例えば、第３のハイパーリンクＨＬ＝”３”に対し、この数値”３”が決定され、追加のテキスト情報ＺＴＩ４として挿入され、表される。第３のハイパーリンクＨＬ＝”３”を作動させるために、ユーザは単語”THREE”又は”THIRD”を話し、これら単語は対応する音素系列ＰＩと一緒にワードメモリ１３に記憶され、これら単語の音素系列ＰＩは、追加のテキスト情報ＺＴＩ４を介し、追加のハイパーテキストＺＨＴ（ＨＬ）の第１音素系列ＰＩ１［ＨＴ（３）］に引き継がれる。
【００５６】
好適なことに、インターネットページ２６上に番号を表示することは、このインターネットページ２６上に非常に小さい場所だけを必要とし、この結果、比較的高い確実性(certainty)で、オリジナルのインターネットページ８のテキスト情報ＴＩ又は画像情報ＢＩは上書きされない。
【００５７】
相関手段１１は、テキスト情報ＴＩが背景辞書の単語の言語でのハイパーリンクのハイパーテキストＨＴ（ＨＬ）の翻訳に対応する追加のハイパーテキストＺＨＴ（ＨＬ）としてテキスト情報ＴＩも決定することがわかる。例えば、フランス語のテキスト情報
【外１】
【００５８】
2011100169.tif 000003
は、相関段階１２によって英語の追加のテキスト情報ＺＴＩ＝”SPEAKING  FRENCH  FLUENTLY”に翻訳され、第１音素系列ＰＩ１［ＺＨＴ（ＨＬ）］は、３つの単語”SPEAKING”、”FRENCH”、”FLUENTLY”によって、ワードメモリ１３に割り当てられて記憶される音素系列ＰＩで形成される。この第１音素系列ＰＩ１［ＺＨＴ（ＨＬ）］は、高い品質値ＱＶを持ち、挿入手段２３は、インターネットページ２６のテキスト情報ＴＩ７の代わりに追加のテキスト情報ＺＴＩを挿入するので、好適なことに、インターネットページが表示されるとき、音声認識手段１９の高い認識率が実現され且つ場所が節約される。
【００５９】
第２実施例に従って、ユーザは、テキスト情報ＴＩ６及び追加のテキスト情報ＺＴＩ５の両方を第４ハイパーリンクＨＬ＝”４”を作動させる命令として話すことができることがわかる。
【００６０】
ハイパーリンクＨＬが作動した後、ハイパーテキストＨＴ（ＨＬ）又はこのハイパーリンクＨＬの追加のハイパーテキストＺＨＴ（ＨＬ）は、制御手段２１がインターネットブラウザ６に選択されたハイパーリンクＨＬのインターネットアドレスＵＲＬ（ＨＬ）を送信する前に、例えば３秒間明滅する。これは、３秒間中、誤ったハイパーリンクＨＬが作動した場合、ユーザがその作動の変更させる可能性を持たせることを実現する。
【００６１】
第２コンピュータプログラム製品がＣＤ−ＲＯＭ又はディスクからコンピュータ１の内部メモリにロードされ、これにより、とても簡単なやり方でコンピュータ１に好適にインストールされることが述べられている。
【００６２】
２つ以上の言語の単語がワードメモリに記憶されていることも述べられている。例えば、フランス語、スペイン語又はイタリア語の単語がワードメモリに記憶される。
【００６３】
以上の実施例に関し、更に、以下の項目を開示する。
【００６４】
（１）ユーザに表示されるインターネットページのテキスト情報のハイパーリンクを作動させる音声認識方法であって、前記音声認識方法は、
−示される前記テキスト情報におけるハイパーリンクのハイパーテキストを決定するステップ、
−前記ハイパーテキストの対応する第１音素系列を決定するステップ、
−決定されたハイパーテキストの少なくとも一部を表す、ユーザからの音声命令を入力するステップ、−前記音声命令に対応する第２音素系列を決定するステップ、及び
−前記決定された第２音素系列と決定された第１音素系列とを比較することでユーザにより選択されるハイパーリンクを決定し、前記選択されたハイパーリンクを作動させるステップ、
を有する音声認識方法において、前記ハイパーテキストに対応する第１音素系列が決定されるとき、１つの品質値が各ハイパーテキストに対し決定され、ハイパーテキストの品質値が、品質基準値を満たさず、前記インターネットページの前記テキスト情報におけるハイパーテキストに割り当てられるか又は前記ハイパーテキストの代わりとなるとき、追加のハイパーテキストが決定されるのに対し、前記追加のハイパーテキストに対し決定される第１音素系列は前記品質基準値を越える品質値を持つことを特徴とする音声認識方法。
【００６５】
（２）前記追加のハイパーテキストが番号により形成されることを特徴とする（１）に記載の音声認識方法。
【００６６】
（３）前記番号の数値が規定されるとき、前記インターネットページの前記テキスト情報において決定され、前記インターネットページのテキスト情報における前記追加のハイパーテキストに割り当てられる上述した全ての前記ハイパーテキストが考慮されることを特徴とする（２）に記載の音声認識方法。
【００６７】
（４）インターネットブラウザを制御する音声認識装置であって、前記インターネットブラウザは、インターネットページのハイパーリンクを含むテキスト情報を入力するように配され、
前記入力されたインターネットページの前記テキスト情報において前記ハイパーリンクのハイパーテキストを決定するハイパーリンク特定手段、
前記ハイパーテキストに基づく対応する第１音素系列を決定する相関手段、
決定されたハイパーテキストの少なくとも一部を表す、ユーザからの音声命令を入力する入力手段、
前記音声命令に対応する第２音素系列を決定する音声認識手段、
前記決定された第２音素系列と決定された第１音素系列とを比較することでユーザにより選択される前記ハイパーリンクを決定する命令語決定手段、及び
前記選択されたハイパーリンクにより特徴付けられる前記インターネットページの前記テキスト情報を入力することを可能にするように前記インターネットブラウザを制御する制御手段、
を含む音声認識装置において、前記ハイパーテキストに対応する前記第１音素系列が決定されるとき、前記相関手段は、ハイパーテキスト毎に１つの品質値を決定するように配され、ハイパーテキストの前記品質値が品質基準値に満たないとき、前記相関手段は、当該ハイパーテキストに対する追加のハイパーテキストを決定するように配されるのに対し、当該ハイパーテキストに割り当てられるか、又は前記インターネットページの前記テキスト情報における当該ハイパーテキストを置き換える前記追加のハイパーテキストが表され、前記追加のハイパーテキストに対し決定された前記第１音素系列に対する前記相関手段の１つは、前記品質基準値を越えた品質値を持つことを特徴とする音声認識装置。
【００６８】
（５）前記相関手段は、番号を追加のハイパーテキストとして決定するように配されることを特徴とする（４）に記載の音声認識装置。
【００６９】
（６）前記番号の数値が決定されるとき、前記相関手段は、前記インターネットページの前記テキスト情報において決定された前記インターネットページの前記テキスト情報における前記追加のハイパーテキストより前にある前記全てのハイパーテキストを考慮するように配されることを特徴とする（５）に記載の音声認識装置。
【００７０】
（７）デジタルコンピュータの内部メモリに直接ロードされ、ソフトウェアコードセクションを含むコンピュータプログラム製品において、（１）に記載の方法のステップは、前記製品が前記コンピュータで実行するとき、当該コンピュータで行われることを特徴とするコンピュータプログラム製品。
【００７１】
（８）前記コンピュータにより読み取り可能な媒体上に記憶される（７）に記載のコンピュータプログラム製品。
【符号の説明】
【００７２】
１  コンピュータ
２  第１コンピュータサーバ
３  第２コンピュータサーバ
４  モニタポート
５  モニタ
６  インターネットブラウザ
７  キーボード
８、２５、２６  インターネットページ
１０  ハイパーリンク特定手段
１１  相関手段
１２  相関段階
１３  ワードメモリ
１４  命令語決定段階
１５  命令テーブル
１６  音声ポート
１７  マイクロホン
１８  入力手段
１９  音声認識手段
２０  音声認識段階
２１  制御手段
２２  比較段階
２３  挿入段階
２４  加算段階
【図１】
2011100169.tif 000004
【図２】
2011100169.tif 000005
【図３】
2011100169.tif 000006
【図４】
2011100169.tif 000007
【図５】
2011100169.tif 000008